(57)【要約】【課題】歯列に装着するマウスピースの必要最小の所定部位を陰圧（負圧）にして発生させる吸着作用を利用し、それにより、使用性、取扱い性に優れ、かつ長時間の装着でも不快感や疲労感が少ない気道確保用の簡易な補助器具を提供すること。【解決手段】略馬蹄形を有する本体ピース部Ａ，の前面に封止機能を有する吸引部５，６を設けるとともに左右両奥側内面及び又は両前側内面に吸着口３ａ，４ａを開口し、それら吸着口を前記吸引部に内通路３，４を介して連通させ、前記吸引部５，６を吸気して吸着口３ａ，４ａを陰圧にすることにより舌の両側面を吸着保持させる。さらに、差込口を通して組み付ける舌押えピース１０と併用するようにする。【選択図】図３
2010029615.tif 000002
【特許請求の範囲】
【請求項１】
略馬蹄形を有する本体ピース部の前面に封止機能を有する吸引部を設けるとともに左右両奥側内面及び又は両前側内面に吸着口を開口し、それら吸着口を前記吸引部に内通路を介して連通させ、前記吸引部を吸気して吸着口を陰圧にすることにより舌の両側面を吸着保持させるようにした睡眠時無呼吸等の防止用マウスピース。
【請求項２】
上記本体ピース部が上顎ピース部と下顎ピース部との一体型であり、その上下顎ピース部何れか一方又は両方に前記吸引部、内通路及び吸着口が形成されていることを特徴とする請求項１記載の睡眠時無呼吸等の防止用マウスピース。
【請求項３】
上記吸引部が下顎ピース部の前面中央に一つ形成され、その吸引部から左右の内通路が分岐して形成されており、各内通路には前記吸着口が奥歯近傍及び又は前歯近傍に対向する箇所に各側それぞれ複数口が形成されていることを特徴とする請求項２記載の睡眠時無呼吸等の防止用マウスピース。
【請求項４】
上記吸引部が上顎及び又は下顎ピース部の前面に左右間隔をおいて二つ形成され、その吸引部ごとに左右の内通路が各別に連通しており、各内通路には前記吸着口が奥歯近傍に対向する箇所に各側それぞれ複数口が形成されていることを特徴とする請求項２記載の睡眠時無呼吸等の防止用マウスピース。
【請求項５】
上記下顎ピース部と上顎ピース部とに跨る前面中央に舌押えピースを挿着する差込口を設け、舌押えピースには、底面に吸着口を開口するとともに前面に封止機能を有する吸引部を設けて前記吸着口と連通させ、前記吸引部を吸気して吸着口を陰圧にすることにより舌の上面を吸着保持させるようにしたことを特徴とする請求項４記載の睡眠時無呼吸等の防止用マウスピース。
【請求項６】
上記下顎ピース部が上顎ピース部に対して、通常の噛み合わせ位置よりも前面側にずらして形成されていることを特徴とする請求項２〜５のいずれか１項記載の睡眠時無呼吸等の防止用マウスピース。
【請求項７】
上記本体ピース部が上顎ピース部だけの半片型であり、その上顎ピース部に前記吸引部、内通路及び吸着口が形成されていることを特徴とする請求項１記載の睡眠時無呼吸等の防止用マウスピース。
【請求項８】
上記上顎ピース部の中央内面より奥側上辺へ延びる舌押えピースを設け、該舌押えピースには、底面に吸着口を開口して前記吸引部と連通させ、その吸引部を吸気して吸着口を陰圧にすることにより舌の上面を吸着保持させるようにしたことを特徴とする請求項７記載の睡眠時無呼吸等の防止用マウスピース。
【請求項９】
上記上顎ピース部の中央内面より奥側上辺へ延びる舌押さえピースを着脱自在に形成し、該ピース部と異なる硬さの素材を使用できるようにしたことを特徴とする請求項８記載の睡眠時無呼吸等の防止用マウスピース。
【発明の詳細な説明】
【技術分野】
【０００１】  本発明は、睡眠時無呼吸等の防止用マウスピースに関し、詳しくはイビキや無呼吸症候群の症状である気道閉塞を抑制して気道確保を目的としたマウスピースに関する。
【背景技術】
【０００２】  最近急増しているイビキや無呼吸症候群は、肥満や老化が要因である口腔内の舌の位置が大きな影響を与えている。具体的には、就寝時に舌が喉奥へ後退する状態、つまり舌根や軟口蓋が気道に垂れ下がって気道を狭め、さらに閉塞することにより発生することが知られている。
そのようなイビキや無呼吸症候群を防止するため、気道確保を目的として舌の持上げ、引上げ機能を付与した従来技術には、特許文献１に、舌を安定して保持するための形状・構造的な改良を加えた歯列マウスピースが提案されている。また、特許文献２には、減圧ユニットを用いて口腔内全体を陰圧にし、ユーザーの軟口蓋及び周囲軟組織を口腔に向かって引張り、且つ舌を上口蓋に向かって引上げることにより気道を開放状態に維持する装置も提案されている（特許文献２）。【０００３】
【特許文献１】特開２００３−２７５３１１号公報
【特許文献２】特開２００７−３１９６８０号公報
【発明の開示】
【発明が解決しようとする課題】
【０００４】  しかしながら、特許文献１のマウスピースにおいては、舌保持用くぼみ４４が設けられるが、仰向け状において脱力した舌の咽頭への落ち込みを防止し得るのか疑問であり、また舌を安定して保持するための延伸部２８が、下側凹溝部２４の鞍形壁における内側に延伸して舌の下面に狭入される装着状態となるために、口腔内における異物感や痒み、痛みなどの不快感や疲労感を伴うことがあり長時間の装着使用としては難しい。
その点で特許文献２は、口腔内を陰圧にすることにより舌を上口蓋に向かって引上げるので、異物感、不快感などの前記不具合はないものの口腔内全体を陰圧にするために減圧ユニットを装備するなど大掛かりな装置が必須であって、簡易な補助器具としての利用は不可能である。また、この装置を装着して呼吸を行う場合、吸気した一部が口腔を通じて吸われて逃げてしまい、自然呼吸を阻害する可能性が有る。【０００５】  本発明は、上記従来事情に鑑みて、歯列に装着するマウスピースの必要最小の所定部位を陰圧（負圧）にして発生させる吸着作用を利用し、それにより、使用性、取扱い性に優れ、かつ長時間の装着でも不快感や疲労感が少ない気道確保用の簡易な補助器具を提供することを目的とする。
【課題を解決するための手段】
【０００６】  斯る本発明の睡眠時無呼吸等の防止用マウスピースは、略馬蹄形を有する本体ピース部の前面に封止機能を有する吸引部を設けるとともに左右両奥側内面及び又は両前側内面に吸着口を開口し、それら吸着口を前記吸引部に内通路を介して連通させ、前記吸引部を吸気して吸着口を陰圧にすることにより舌の両側面を吸着保持させるようにしたことを特徴とする（請求項１）。
本発明によれば、使用者が就寝の直前にマウスピースを歯列に装着した状態で、注射シリンジなどハンディタイプの吸入器を用いて本体ピース部の吸引部から吸気することにより、内通路を介して本体ピース部に開口した吸着口に吸着作用を生起させ、その吸着作用で舌根部及び又は舌前部の両側面を吸着保持させた後に吸入器を取り外す。好ましくは、気道を拡開するために舌根部を前方へ押出す状態で該舌根部及び又は舌前部の両側面を本体ピース部に吸着保持させ、それにより、就寝時に気道側への舌根部の垂れ下がりを抑制して気道を確実に開放させた状態で就寝できるようにする。【０００７】  すなわち、本発明のマウスピースは、舌根部の前方押出し姿勢を吸着作用により確保するために本体ピース部の内面に吸着口を配置させたものであり、その吸着口は、舌を吸着して舌根部を前方へ押出し易い部位に形成する。具体的には、本体ピース部の左右両側内面であって、奥歯近傍に対向する奥側内面が舌根部に近接していて最も好ましいが、それだけに限らず、舌前部を吸着して舌根部を前方より引き出す部位、つまり本体ピース部の左右両側内面であって、前歯近傍に対向する両前側内面に配置させることもよい。その場合には、吸着口を両奥側内面だけ、または両前側内面だけに形成する態様、或いはそれらを併用する態様とすることも任意である（請求項１）。【０００８】  本発明における前記本体ピース部は、上顎ピース部と下顎ピース部とを一体に形成した一体型（ワンピース型）、あるいは、上顎ピース部又は下顎ピース部だけを使用する半片型（分離型）のいずれの形態を採用することも可能である。
その一方の形態である一体型を採用する場合には、舌の吸着保持作用を確実にするために上下顎ピース部何れか一方又は両方に前記吸引部、内通路及び吸着口を形成するようにする（請求項２）。
そして、上記吸引部は、左右の内通路に共用される一箇所に配設される態様、或いは各内通路に個別に分離した二箇所に配設される態様の何れであってもよいが、何れの態様であっても吸着作用を高めるために、吸着口は各側それぞれ２個以上の複数口が形成されていることが好ましい（請求項３、４）
また、上記吸引部が左右間隔をおいて二箇所に配設される態様においては、下顎ピース部と上顎ピース部とに跨る前面中央に舌押えピースを挿着する差込口を設け、舌押えピースには、底面に吸着口を開口するとともに前面に封止機能を有する吸引部を設けて前記吸着口と連通させ、前記吸引部を吸気して吸着口を陰圧にすることにより舌の上面を吸着保持させるようにする（請求項５）。
それによれば、舌根部の左右両側面の吸着保持と併せて舌上面を吸着して舌の保持力を強化させる。
さらに重症なイビキ症状、又は無呼吸症候群に対応するために、上記吸着口に吸着作用を生起させる構成に併せて、上記下顎ピース部に上顎ピース部が一体に形成され、その下顎ピース部が上顎ピース部に対して、通常の噛み合わせ位置よりも前面側にずらして形成した態様とすることもよい（請求項６）。【０００９】  一方、上記本体ピース部が半片型の場合には、舌の吸着保持作用、特に持上げ作用を確保することから、下顎ピース部を使用するよりも上顎ピース部を使用するようにする。すなわち、上記本体ピース部が上顎ピース部だけの半片型であって、その上顎ピース部に前記吸引部、内通路及び吸着口を形成するようにする（請求項７）。
また、その半片型の上顎ピース部に舌押えピースを設ける場合は、上記上顎ピース部の中央内面より奥側上辺へ延びる舌押えピースを設け、該舌押えピースには、底面に吸着口を開口して前記吸引部と連通させ、その吸引部を吸気して吸着口を陰圧にすることにより舌の上面を吸着保持させるようにする（請求項８）。
さらに、より柔軟な素材で舌への密着度を高めるため、上記上顎ピース部の中央内面より奥側上辺へ延びる舌押さえピースを着脱自在に形成し、該ピース部と異なる硬さの素材を使用できるようにしたことを特徴とする請求項８記載の睡眠時無呼吸等の防止用マウスピース。（請求項９）
【発明の効果】
【００１０】  本発明によれば、舌を安定保持させる吸引保持方式からなる気道確保用の補助器具、すなわち歯列に装着するマウスピースに発生させる吸着作用によって、舌根部を前方へ押出す状態で該舌根部の両側面を本体ピース部（下顎ピース部または上顎ピース部）に吸着保持させ、就寝時に気道を確実に開放させた状態が得られるので、舌の下面にマウスピースの延伸部分などを挟入する場合に比べて、装着時における異物感、不快感などがなく長時間にわたり快眠することができる。
また、就寝前に歯列に装着したマウスピースに吸引器を用いて吸気する操作をするだけであるから、取扱いが簡便であるとともにコンパクトにして簡易な補助器具として使用することができる。
【発明を実施するための最良の形態】
【００１１】  本発明の実施の形態を図面に基づいて説明すれば、図１〜図５は第１実施例のマウスピースＡを開示する。
マウスピースＡは、本体ピース部が平面視で略馬蹄形を呈する下顎ピース部１と上顎ピース部２を一体に形成した一体型の場合を例示し、下顎ピース部１の底面に使用者の下顎歯列を受容れる下顎歯列溝１ａを凹設し、上顎ピース部２の上面には使用者の上顎歯列を受容れる上顎歯列溝２ａを凹設する。
また、マウスピースＡは、その下顎ピース部１が上顎ピース部２に対して、通常の噛み合わせ位置よりも前面側にずらして形成しており、それにより、使用者の上顎に対する下顎の位置が通常よりわずかに持上げられた状態で装着されるようにする。【００１２】  このマウスピースＡは、毒性のないモールド材料であればプラスチック、ウレタン、金属その他どのような材料からも製作できるが、具体例として提示すれば、柔軟シリコン、酢酸セルロース、アクリルレジン、ポリアミド、ポリオレフィン系可塑性エラストなどである。【００１３】  上記マウスピースＡの下顎ピース部１には、前面の左右対称位置より両側片部の各奥側まで延びる内通路３，４を形成するとともに各内通路３，４の奥側内面、詳しくは装着時に奧歯の近傍に対向する部位に吸着口３ａ，４ａを開口させる。
この吸着口３ａ，４ａは、各側にそれぞれ一つ宛て形成することもよいが、吸着作用を高めるために間隔をおいて２個以上の複数個を形成すること、あるいは開口部を長孔形状とすること、さらに上下高さを違えて配置することもよい。図示では、左右各側にそれぞれ上下にわずかにずらした位置に丸孔形状の２個の吸着口３ａ，４ａを形成した場合を例示している。【００１４】  そして、下顎ピース部１の前面には、左右間隔をおいた対称位置に前記内通路３，４の前端を開口させ、その各開口部にそれぞれ吸引部５，６を設ける。
吸引部５，６は、封止（逆止）機能を有する構造を備え、注射シリンジ等の吸入器を用いて前記内通路３，４に適時に陰圧をかけるようにするものである。詳しくは、内通路３，４の前端側へ抜ける空気流れを許容し、前端から内通路３，４へ入る空気流れを規制する逆止弁を設けた構造、又は、陰圧をかける注射シリンジの吸気口管を抜き差し可能な挿入口５ａ，６ａを有し前記吸気口管を抜いた状態で挿入口を閉鎖させる封止構造とするなど、周知の封止（逆止）手段を採用する。
なお、図８には吸引器の一例として注射シリンジＢを示し、図中の符号２０が吸気口管である。【００１５】  図６〜図７は第２実施例のマウスピースＡ’を示す、
マウスピースＡ’は、平面視で略馬蹄形を呈する下顎ピース部１と上顎ピース部２を一体とした一体型であること、及び下顎ピース部１の前面に吸引部５，６を設けたことは第１実施例のマウスピースＡと同一であるが、前面中央部の下顎ピース部１と上顎ピース部２にわたって矩形状の差込口８を形成し、その差込口に舌押えピース１０を抜き差し可能に挿着した態様、すなわち、第１実施例のマウスピースＡを変形させて舌押えピース１０を組み合せたものである。【００１６】  舌押えピース１０は、前記マウスピースＡ’の差込口８に嵌め合う支持部１１とそれに連結して延びる細帯状の作用部１２により構成され、その支持部１１はマウスピースＡ’と同一材料で形成し、作用部１２も支持部１１と同一材料またはそれよりも柔軟材料により形成する。
この舌押えピース１０には、作用部１２に内通路１３を形成し、内通路１３の前端を支持部１１の前面に開口するとともに後端を作用部１２の後部まで延伸させ、その後端部分に一つ又は複数個の吸着口１４を形成する。
支持部１１の前面には、内通路１３の前端開口部に吸引部１５を形成し、その吸引部１５は前記吸引部５，６と同様に封止機能を有する構造である。【００１７】  上記舌押えピース１０は、その作用部１２に３個以上の吸着口１４を直列に配列し、あるいは二つの内通路１３を並設して吸着口１４を千鳥状に配列することもよく、また、支持部１１の前面に二つの吸引部１５を設けて各内通路１３へ個別に連通させるなど、吸着口１４の吸着作用を高めるために適宜の変形例を採用することも任意である。【００１８】  而して、上記マウスピースＡ’の使用法を説明すると、マウスピースＡ’の差込口８の前面より舌押えピース１０の作用部１２を差し込みながら支持部１１を差込口８に嵌め込み組み付け状態にする（図７参照）。
そのマウスピースＡ’を使用者が就寝前に口腔内に入れ、その下顎ピース部１の下顎歯列溝１ａを使用者の下顎歯列２１に嵌め合わせ、上顎ピース部２の上顎歯列溝２ａに上顎歯列２２を嵌め合わせるが、その際に、マウスピースＡ’内に突出する舌押えピース１０の作用部１２を使用者の舌２３の上面に沿わせて接触させる（図１０参照）。【００１９】  その状態で使用者は、舌先を丸めるようにして舌根部２３ａをわずかに前方へ押出す状態をしながら、図８に例示する注射シリンジＢの吸気口管２０を一方の吸引部５に差し込み該シリンジＢにより吸気して吸気口３ａに吸気作用を生起させ、それにより、舌根部２３ａの一側面（左側面）を下顎ピース部１に吸着保持させる。
同様に、注射シリンジＢの吸気口管２０を他方の吸引部５に差し込み、該シリンジＢにより吸気することにより吸気口４ａに吸気作用を生起させて、舌根部２３ａの他側面（右側面）を下顎ピース部１に吸着保持させる。
さらに、注射シリンジＢの吸気口管２０を舌押えピース１０吸引部１５に差し込み、該シリンジＢにより吸気することにより吸気口１４に吸気作用を生起させて、舌根部２３ａの上面を舌押えピース１０に吸着保持させる。【００２０】  上記操作によれば、図１０に示すように、マウスピースＡ’の装着によって使用者の舌根部が前方へ出た状態、つまり気道２４が開放した状態が保持される。すなわち、図９にはマウスピースＡ’を装着しない就寝状態を示すが、その状態では舌根部２３ａが気道２４側へ垂れ下がり気道２４を狭めてイビキや無呼吸症候群の症状となっており、それに対して、マウスピースＡ’を装着した場合には気道２４が確保された状態の就寝が可能となる。
したがって、就寝時におけるイビキの発生や無呼吸症候群の症状を改善することができるとともに舌を吸着作用により気道確保状態に保持するので特に不快感や疲労感を感じることなく快眠することができる。【００２１】  上述した実施例においては、マウスピースＡ’の使用法について説明したが、マウスピースＡの場合には舌押えピース１０がない構成であるから、その舌押えピース１０の操作が不要なこと以外は同様に操作すればよいので、重複を避けるためにマウスピースＡの使用法については説明を省略する。なお、マウスピースＡの場合は、マウスピースＡ’に比べて舌押えピース１０の操作が不要な分だけ簡易に使用することができる。
また、マウスピースＡ’の場合であっても舌押えピース１０を取付けない使用法、つまりマウスピースＡと同様の使用法を採用することも自由であり、その場合には、開放している差込口８を口腔内へ通じる空気孔として使用することも可能である。勿論、マウスピースＡ’、マウスピースＡの何れにおいても別途に空気孔を形成しておくことも任意である。【００２２】  そして、上記実施例において、マウスピースは、その下顎ピース部１が上顎ピース部２に対して、通常の噛み合わせ位置よりも前面側にずらして形成した場合を説明したが、それによれば、上顎に対する下顎の位置が通常よりも持上げられた姿勢、つまり下顎を上方へ持上げて気道を開く状態に保持されるので気道の圧迫が抑制される。
したがって、特に限定されるものではないが、上記マウスピースＡおよびＡ’は、イビキの症状に対応できることは当然ながら、無呼吸症候群の症状に適用して有効である。【００２３】  次に、図１１〜図１３は第３実施例であって、本体ピース部が上顎ピース部だけである半片型のマウスピース２Ａを開示する。
このマウスピース（上顎ピース部）２Ａは、前述した第１実施例の上顎ピース部２と同一の材料で成形され、その上面に使用者の上顎歯列を受容れる上顎歯列溝２ａを凹設したものであり、その前面中央部に略鼻形を呈する突隆縁３０を形成し、該突隆縁３０の底面に封止機能を有する吸引部３５を下向き開口状に配設するとともに、突隆縁３０と対向する内面側には舌押えピース４０を形成する。【００２４】  また、マウスピース２Ａには、前記吸引部３５から舌押えピース４０へ延びる内通路３１を形成し、その内通路３１の途中から分岐して両側片部の各奥側まで延びる内通路３２，３３を形成するとともに各内通路３２，３３の奥側内面、詳しくは装着時に奥歯の近傍に対向する部位に吸着口３２ａ，３３ａを開口させる。
舌押えピース４０は、図１３に示すように、マウスピース２Ａの中央内底面部より滑らかに立ち上り奥側上辺へ水平に延びた円形薄盤とし、その底面に円形穴からなる吸着口３４を形成して該吸着口３４を前記内通路３１の先端に連通させる。
上記吸着口３２ａ，３３ａは、マウスピース２Ａを装着した状態で舌の左右各側面に対向し、また、吸着口３４は舌の上面に対向するように配置する。【００２５】  上記マウスピース２Ａの使用法も前述したマウスピースＡ’の使用法と略同様である。すなわち、上顎ピース部だけのマウスピース２Ａを使用者が就寝前に口腔内に入れ、その上顎歯列溝２ａに上顎歯列を嵌め合わせることにより舌押えピース４０を使用者の舌上面に沿わせて接触させる。
その状態で使用者は、注射シリンジＢの吸気口管２０を突隆縁３０底面の吸引部３５に差し込み該シリンジＢにより吸気して舌押えピース４０の吸気口３４に吸気作用を生起させそれにより、舌根部の上面が持上がるようにして舌押えピース４０に吸着保持され、同時に、注射シリンジＢの吸気により吸気作用を生起している吸気口３２ａ，３３ａにより舌根部の両側面がマウスピース２Ａに吸着保持される。それにより、使用者の気道２４が確保された状態の就寝が可能となる。【００２６】  なお、上記第３実施例においては、内通路３２，３３を内通路３１から分岐させた構造を例示したが、それらを各独立にして夫々に吸引部を設ける構造とすることもよい。
また、上記実施例においては舌押えピース４０を付設した場合を例示したが、この舌押えピース４０のないマウスピースを採用することも自由である。
さらに、上記実施例においては、舌押えピース４０をマウスピース２Ａに一体に形成した形態を例示するが、マウスピース２Ａと別体に成形してマウスピース２Ａに着脱可能に取り付けることも任意である。例えば、図１４に例示するように、図中の接続部位４５で、舌押えピース４０’をマウスピース２Ａに抜き差し可能に装着するものである。
それによれば、舌押えピース４０’をマウスピース２Ａよりも柔軟な材料、例えば柔軟シリコン等で形成することができるので、舌押えピースの舌の吸着作用を強化することができ、あるいは、舌押えピースまでを必要としない症状の場合に舌押えピース４０’を外して使用することも可能となる。【００２７】  上述した実施例においては、何れも吸着口を下顎ピース部１又は上顎ピース部（マウスピース）２Ａの左右両奥側内面に開口した場合を説明したが、それに限定されるものではなく、前述したように下顎ピース部１又はマウスピース部２Ａの左右両前側内面に併設または独立して配置することもよい。
例えば、図３、図４に二点鎖線で付記するように、吸着口５３ａ，５４ａを吸着口３ａ，４ａと共に併設または吸着口３ａ，４ａに代えて配設する如くである。
また、図１５及び図１６に例示するように、上記第３実施例（図１２及び図１３）の吸着口３２ａ，３３ａに代えて吸着口５５ａ，５６ａを形成する如くである。その場合には、図示のように、マウスピース２Ａの中央底面部に舌受け片５８を突出させ、その舌受け片５８上に舌先部分を載せるようにすることが好ましい。それにより、吸着口５５ａ，５６ａの吸引作用により前方へ引き寄せた舌前部を安定して保持することが可能である。
【図面の簡単な説明】
【００２８】
【図１】  本発明の第１実施例のマウスピースを斜め前方より視た斜視図である。
【図２】  同後方より視た斜視図である。
【図３】  同平面図である。
【図４】  図３における（４）−（４）線に沿う断面図である。
【図５】  同（４）−（４）線に沿う断面図である。
【図６】  本発明の第２実施例のマウスピースを説明する分離斜視図であって、（１）がマウスピースを斜め前方より視た斜視図、（２）が舌押えピースの斜視図である。
【図７】  舌押えピースを組み付けた状態のマウスピースの断面図である。
【図８】  吸引器と例示する注射シリンジの斜視図である。
【図９】  本発明のマウスピースを装着する前の状態を示す咽喉部の説明図である。
【図１０】  マウスピースを装着した状態を示す咽喉部の説明図である。
【図１１】  本発明の第３実施例のマウスピースを斜め前方より視た斜視図である。
【図１２】  同平面図である。
【図１３】  図１２における中央断面側面図である。
【図１４】  第３実施例の一部を変更した変形例の平面図である。
【図１５】  第３実施例の一部をさらに変更した変形例の平面図である。
【図１６】  図１５における中央断面側面図である。
【符号の説明】
【００２９】Ａ：マウスピース            １：下顎ピース部            ２：上顎ピース部
３，４：内通路              ３ａ，４ａ：吸着口          ５，６：吸引部
Ａ’：マウスピース          ８：差込口
１０：舌押えピース          １１：支持部                １２：作用部
１３：内通路                １４：吸着口                １５：吸引部
２３：舌                    ２３ａ：舌根部              ２４：気道
２Ａ：マウスピース          ３１，３２，３３：内通路
３２ａ，３３ａ：吸着口      ３４：吸着口                ３５：吸引部
４０：舌押えピース          ５３ａ，５４ａ：吸着口
５５ａ，５６ａ：吸着口
【図１】
2010029615.tif 000003
【図２】
2010029615.tif 000004
【図３】
2010029615.tif 000005
【図４】
2010029615.tif 000006
【図５】
2010029615.tif 000007
【図６】
2010029615.tif 000008
【図７】
2010029615.tif 000009
【図８】
2010029615.tif 000010
【図９】
2010029615.tif 000011
【図１０】
2010029615.tif 000012
【図１１】
2010029615.tif 000013
【図１２】
2010029615.tif 000014
【図１３】
2010029615.tif 000015
【図１４】
2010029615.tif 000016
【図１５】
2010029615.tif 000017
【図１６】
2010029615.tif 000018